(57)【要約】【課題】複雑な機構を用いることなく簡単な構造であって、不特定多数の客に応じて簡単な手動の操作で仕切板により区画することができるテーブルを提供すること。【解決手段】テーブル１０は、水平に保持された天板１と、天板１を２つの領域に分割する垂直回転可能な仕切体２と、を備え、天板１は、略矩形状の枠部１ａと、枠部１ａの中央部に仕切体２を垂直回転自在に支持するための回転軸１ｂと、仕切体２の垂直回転を固定する保持具３と、を備える。テーブル１０は、仕切体２を回転軸１ｂの周りに垂直回転させるという簡単な手動操作で仕切体２により天板１の上面を適宜２つの領域に分割することができる。【選択図】図１
0003165601.tif 000002
【実用新案登録請求の範囲】
【請求項１】
水平に保持された天板（１）と、
前記天板を２つの領域に分割する垂直回転可能な仕切体（２）と、
を備えるテーブル（１０）であって、
前記天板は、
略矩形状の枠部（１ａ）と、
前記枠部の中央部に前記仕切体を垂直回転自在に支持するための回転軸（１ｂ）と、
前記仕切体の垂直回転を固定する保持具（３）と、を備える
ことを特徴とするテーブル。
【請求項２】
前記仕切体は、
前記枠部と略同形状の両面を有するとともに
前記枠部に嵌めて垂直回転させることができる台座（２ａ）と、
前記台座の片面に仕切板（２ｂ）と、を備える
ことを特徴とする請求項１記載のテーブル。
【請求項３】
前記保持具は、
前記枠部に臨んで伸縮自在な棒材（３ａ）を備えるとともに前記天板に配置され、
前記台座は、
前記棒材を挿入する挿入部（２ｃ）を備える
ことを特徴とする請求項１又は請求項２に記載のテーブル。
【請求項４】
前記仕切板は、アクリル樹脂からなる
ことを特徴とする請求項２又は請求項３に記載のテーブル。
【請求項５】
前記仕切体の垂直回転を固定した際に、
前記天板の上面と前記台座の上方向に向いている面とが面一である
ことを特徴とする請求項１乃至４のいずれか１項に記載のテーブル。
【請求項６】
さらに、前記仕切体の垂直回転の固定を補助する補助金具（５）を備える
ことを特徴とする請求項１乃至５のいずれか１項に記載のテーブル。
【考案の詳細な説明】
【技術分野】
【０００１】
本考案は、仕切板を備えたテーブルであって、客の人数や組合せに応じて簡便に仕切板を設置及び収納することができるテーブルに関する。
【背景技術】
【０００２】
飲食店において、４人掛けのテーブルは予め仕切板を設置することが少なく、席に空きがない場合には、そのテーブルが相席となることがあった。また、８人掛けのテーブル等のようにテーブル長が長い場合には、予めテーブルとは別体の衝立等の仕切体を設置することもあった。
【０００３】
そこで、客の人数や組合せに応じて仕切板で区画することができるテーブルが様々に提案されている。例えば、２つの客の組が同一テーブルに対面するように着席した際、その対面する間に昇降機構により上昇下降する仕切板を備えたテーブルが提案されている（特許文献１）。
【先行技術文献】
【特許文献】
【０００４】
【特許文献１】特開平１１−２０６４６５号公報
【考案の概要】
【考案が解決しようとする課題】
【０００５】
しかしながら、特許文献１記載の昇降機構は、ワイヤー等の線材の長さを調整することにより仕切板を上昇及び下降させているため、複雑な構造となっていた。また、特許文献１記載の昇降機構は、手動では線材を巻き取るためのハンドルを必要とし、手動で簡単に仕切板を上昇及び下降させることができなかった。
【０００６】
本考案は、複雑な機構を用いることなく簡単な構造であって、不特定多数の客に応じて簡単な手動の操作で仕切板により区画することができるテーブルを提供することを目的とする。
【課題を解決するための手段】
【０００７】
本考案に係るテーブル１０は、水平に保持された天板１と、天板１を２つの領域に分割する垂直回転可能な仕切体２と、を備え、天板１は、略矩形状の枠部１ａと、枠部１ａの中央部に仕切体２を垂直回転自在に支持するための回転軸１ｂと、仕切体２の垂直回転を固定する保持具３と、を備えることを特徴とする。
【０００８】
ここで、枠部１ａは、天板１を上面から下面に貫通させた部分をいい、天板１の上面及び下面に表れる枠部１ａの形状が略矩形状となっている。
【０００９】
このような構成によると、仕切体２を回転軸１ｂの周りに垂直回転させることで仕切体２により天板１の上面を１つの領域から２つの領域に、逆に天板１を２つの領域から１つの領域に変更することができる。
【００１０】
仕切体２は、具体的に、枠部１ａと略同形状の両面を有するとともに枠部１ａに嵌めて垂直回転させることができる台座２ａと、台座２ａの片面に仕切板２ｂと、を備える。このような構成によると、仕切板２ｂにより天板１の上面の領域を適宜分割することができる。。
【００１１】
保持具３は、枠部１ａに臨んで伸縮自在な棒材３ａを備えるとともに天板１に配置され、台座２ａは、棒材３ａを挿入する挿入部２ｃを備える。このような構成によると、棒材３ａを挿入部３ｃに挿入することで仕切体２の垂直回転を固定することができる。
【００１２】
仕切板２ｂは、アクリル樹脂を用いてもよい。
【００１３】
本考案に係るテーブル１０は、仕切体２の垂直回転を固定した際に、天板１の上面と台座２ａの上方向に向いている面とが面一であるように構成してもよい。このような構成によると、天板１の上面と台座２ａの上方向に向いている面との間に段差部が存在しないため安全面の向上が期待できる。また、その両面で構成する面一の部分にも物品を置く等して利用することができる。
【００１４】
本考案に係るテーブル１０は、さらに、仕切体２の垂直回転の固定を補助する補助金具５を備えてもよい。このような構成によると、仕切体２の垂直回転をより安定して固定することができる。
【考案の効果】
【００１５】
本考案に係るテーブルによると、仕切体２を回転軸１ｂの周りに垂直回転させるという簡単な手動操作で仕切体２により天板１の上面を適宜２つの領域に分割することができる。そのため、本考案に係るテーブルは、例えばラーメン屋や居酒屋等の飲食店等、不特定の客の組に応じてテーブルの区画の変更を要する店で用いるのに適している。本考案に係るテーブルを客の回転の速い飲食店で用いると、店側は人数に応じた客席を速やかに準備することができ、客側としても待ち時間短縮につながる。すなわち、客の回転率が上がり、店の売り上げ向上に貢献する。また、本考案に係るテーブルは、複雑な機構を必要としないため構造が簡素であり、製造コストも低く抑えることができる。
【図面の簡単な説明】
【００１６】
【図１】実施形態のテーブルの構成を表す概略図。（ａ）は正面から見た正面図であり、（ｂ）は図１（ａ）の領域Ｐの部分を拡大をした図。
【図２】実施形態のテーブルの構成を表す概略図であり、左側面から見た左側面図。
【図３】実施形態のテーブルの構成を表す概略図であり、上方から見た平面図。
【図４】実施形態のテーブルの構成を表す概略図であり、下方から見た底面図。
【図５】実施形態のテーブルにおいて、仕切体の垂直回転を示す図。
【図６】実施形態のテーブルにおいて、仕切体を半回転させた状態を示す図。
【図７】実施形態のテーブルにおいて、保持具の構成を表す概略図。（ａ）は右側面から見た右側面図であり、（ｂ）は上方から見た平面図。
【図８】実施形態のテーブルにおいて、補助金具の構成を表す概略図。（ａ）は正面から見た正面図であり、（ｂ）は上方から見た平面図。
【考案を実施するための形態】
【００１７】
（実施形態）
図１は、一例として実施形態のテーブルの構成を表しており、図１（ａ）は、正面を概略的に示している。テーブル１０は、天板１と、仕切体２と、保持具３と、脚４と、を備える。
【００１８】
図１（ａ）に示すように、天板１は、平坦な上下面と、中央部にその上下面を貫通する枠部１ａと、回転軸１ｂと、を有する。脚４は、天板１に接続するための接続部４ａと、接地するための台座部４ｂと、を有し、天板１は、接続部４ａを介して脚４に接続されて水平に保持されている。天板１は、ウレタン等で染色された天然木無垢複合板等を用いることができる。
【００１９】
仕切体２は、台座２ａと、その台座２の中央部に固定された仕切板２ｂと、を有する。台座２ａは、その内部に天板１の回転軸１ｂを貫通させ、その回転軸１ｂの周りに回転できるように垂直に支持されている。保持具３は、天板１の端部付近に設けられ、台座２ａの回転軸１ｂの周りの回転を固定する。仕切板２ｂは、台座２ａにビス等の留め具で接続されている。仕切板２ｂは、アクリル等の樹脂板を用いることができる。また、仕切板２ｂは、半透明の板材を用いてもよく、表面に様々な文字や模様を有してもよい。
【００２０】
図１（ａ）では、台座２ａは天板１の上面よりも突出するように回転軸１ｂで支持されているため天板１と台座２ａとの間に段差を有しているが、台座２ａの厚さや回転軸１ｂの配置等を調整することにより、天板１の上面と台座２ａの上方に向いている面とが同一平面上になる、いわゆる面一となるようにしてもよい。
【００２１】
図１（ｂ）は、実施形態のテーブルにおいて、図１（ａ）の領域Ｐの部分を拡大した図である。図１（ｂ）に示すように、領域Ｐの部分は、天板１の上面Ｔ１と台座２ａの上方を向いている面Ｔ２ａとがその間に段差Ｈを有している。台座２ａの上方を向いている面Ｔ２ａを面Ｔ２ｂにまで移動させることで段差Ｈをなくすようにしてもよい。この天板１の上面Ｔ１と面Ｔ２ｂとは同一平面上に配置されており、この状態を面一という。このように面一にするとテーブル１０の上面に主な段差をなくすことができるため、安全性が向上する。また、テーブル１０は、その面一の部分に物品等を置くことができる。
【００２２】
図１（ａ）に示すように、テーブル１０は、仕切板２ｂで天板１の上面を２つの領域Ａ１、Ａ２に区画されていることがわかる。
【００２３】
図２は、一例として実施形態のテーブルの構成を表しており、図１の左側面を概略的に示している。なお、実施形態のテーブルの右側面は、図２と仕切板を境に左右対称にして表れる。また、図２では図１と同一の構成に同じ符号を示しており、以下説明を省略する。図２に示すように、テーブル１０は、枠部１ａであって保持具３と反対の端部付近に、台座２ａの垂直回転の固定を補助する補助金具５を備える。台座２ａは、その側面であって垂直回転で保持具３に対向する面に、挿入部２ｃを備え、保持具３は棒材３ａを備える。棒材３ａは、枠部１ａに臨んで伸縮できるようになっている。図２に示すように、棒材３ａは、挿入部２ｃに挿入されて台座２ａの回転軸１ｂの周りの回転を固定している。保持具３は、掛け金を有する金具、いわゆるラッチを用いることができる。また、保持具３は、掛け金がボタンを押すことにより伸びる自動ラッチを用いてもよい。
【００２４】
図７は、一例として実施形態のテーブルの保持具の構成を表しており、図７（ａ）は、右側面を概略的に示す図であり、図７（ｂ）は、上方から見た平面を概略的に示している。保持具３は、棒材３ａと、プッシュボタン３ｂと、ネジ穴３ｃと、内部に図示しない弾性部材及び棒材３ａの保持機構と、を備える。プッシュボタン３ｂを押すと、棒材３ａは、内部の弾性部材により矢印Ｓ１の方向に移動する。そして、矢印Ｓ１と反対方向に棒材３ａを弾性部材に抗して移動させると、所定の位置で棒材３ａの保持機構で固定される。保持具３は、ビス等の留め具でネジ穴３ｃを介して天板１の下面に配置される。
【００２５】
補助金具５は、保持具３と反対側の天板１の端部に設けられ、主に保持具３を補助する。補助金具５は突起部を有し、台座２ａの側面に予め設けられた所定の凹部に挿入されている。補助金具５は、その操作を不要とするために、台座２ａを所定の力で回転させると簡単に凹部から抜ける構成であってもよい。補助金具５は、掛け金としてローラを用いたアジャストゴンベを用いることができる。
【００２６】
図８は、一例として実施形態のテーブルの補助金具の構成を表しており、図８（ａ）は正面を概略的に示す図であり、（ｂ）は上方から見た平面を概略的に示す図である。補助金具５は、ローラ５ａと、接続板５ｂと、ネジ穴５ｃと、ローラ３ａの保持機構５ｄと、を備える。ローラ３ａの保持機構５ｄは、内部に図示しない弾性部材と、ローラ５ａを支持する部材と、ローラ５ａを収納するスペースと、を備える。ローラ５ａは、荷重のかかっていない通常時には図７（ｂ）に示すような状態であり、ローラ５ａにある一定以上の荷重をかけると矢印Ｓ２のように移動させてローラ５ａを保持機構５ｄの内部に収納させることができる。そして、ローラ５ａの荷重を除くと保持機構５ｃの弾性部材により矢印Ｓ２と反対方向にローラ５ａを移動させて図７（ｂ）に示すような状態に戻る。補助金具５は、ビス等の留め具でネジ穴５ｃを介して天板１の下面に配置される。
【００２７】
図２に示すように、テーブル１０は、仕切板２ｂで領域Ａ１の対面となる天板１の上面Ａ２を隠すように区画されていることがわかる。テーブル１０は、保持具３の棒材３ａを台座２ａの挿入部２ｃから抜くと、仕切体２を矢印Ｒ１及びＲ２のように回転軸１ｂの周りに回転できるようになる。
【００２８】
図３は、一例として実施形態のテーブルの構成を表しており、図１の上方から見た平面を概略的に示している。また、図４は、一例として実施形態のテーブルの構成を表しており、図１の下方から見た底面を概略的に示している。なお、図１及び図２と同一の構成は、同じ符号を示し、説明を省略する。図３及び図４に示すように、天板１の枠部１ａは略矩形状であることがわかる。回転軸１ｂは、図示しないワッシャーが嵌められており、軸受け金具１ｃで天板１の下面に配置されている。軸受け金具１ｃは、ビス等の留め具で天板１の下面に固定される。
【００２９】
脚４は、２本の円柱の両端に２枚の四角形状の接続部４ａと、１枚の四角形状の台座部４ｂとをそれぞれ接続されている。脚４は、枠部１ａの両端部付近に２本の円柱の間に枠部１ａを配置するように天板１の下面にビス等の留め具で接続されている。脚４は、高さ調整が可能なアジャスターを備えてもよい。脚４は、ウレタン焼付等の塗装を施したスチール製のものを使用することができる。
【００３０】
図５は、実施形態のテーブルにおいて、仕切体の垂直回転を示す図である。仕切板２ａを天板１の上面から下面に回転移動させる場合、まず、保持具３の棒材３ａを台座２ａの挿入部３ｃから抜いて仕切体２の回転の固定を解き、次に、図５に示すように回転軸１ｂの周りで矢印Ｒ１の方向に回転させる。
【００３１】
図６は、実施形態のテーブルにおいて、仕切体を半回転させた状態を示す図である。図６に示すように、仕切体２を半回転させた状態で保持具３の棒材３ａを台座２ａの挿入部３ｃに挿入して仕切体２の回転を固定する。このようにすることで、テーブル１０は、手動でも簡単に仕切板２ｂを天板１の上面から下面へ移動させることができる。よって、テーブル１０は、テーブル１０に着席する人数や組合せに応じて手動で簡単にテーブル１０の上面側に仕切板２ｂを設置したり、仕切板２ｂをテーブル１０の下面側に移動させて収納したりすることができる。
【産業上の利用可能性】
【００３２】
本考案では、テーブル上に手動で簡単な操作で仕切板を設置及び収納することができるため、作業の安全性や作業効率が向上する。また、複雑な機構を不要とするため製造コストも低く抑えられる。したがって、様々なサービス分野等で需要の拡大が期待でき、産業上の利用可能性は大きい。
【符号の説明】
【００３３】
１  天板
１ａ  枠部
１ｂ  回転軸
１ｃ  軸受け金具
２  仕切体
２ａ  台座
２ｂ  仕切板
２ｃ  挿入部
３  保持具
３ａ  棒材
４  脚
４ａ  接続部
４ｂ  台座部
５  補助金具
１０  テーブル
【図１】
0003165601.tif 000003
【図２】
0003165601.tif 000004
【図３】
0003165601.tif 000005
【図４】
0003165601.tif 000006
【図５】
0003165601.tif 000007
【図６】
0003165601.tif 000008
【図７】
0003165601.tif 000009
【図８】
0003165601.tif 000010